(57)【特許請求の範囲】
【請求項１】
地中埋設箱内に引き込まれた配線材又は配管材を支持する地中埋設箱内の配線材又は配管材の支持装置であって、
地中埋設箱内の側壁の内面との間に配線材又は配管材を配設可能とする配設空間が形成されるように前記側壁の内面から離間した位置にて地中埋設箱内に上下方向へ延びて設けられる立設体と、
前記立設体から地中埋設箱の側壁方向へ延設され、前記配設空間に配設された配線材又は配管材を支持する支持体と
よりなる地中埋設箱内の配線材又は配管材の支持装置。
【請求項２】
前記立設体は、地中埋設箱の側壁の内面全体との間に配設空間が形成されるように設けられる請求項１に記載の地中埋設箱内の配線材又は配管材の支持装置。
【請求項３】
地中埋設箱の側壁の内面との間に配線材又は配管材を配設可能とする配設空間が形成されるように前記側壁の内面から離間した位置にて地中埋設箱内に上下方向へ延びて設けられ、配設空間に配設された配線材又は配管材を支持する支持体を、その先端側が地中埋設箱の側壁方向へ延びるように取着可能な被取着部を備えた立設体。
【請求項４】
前記地中埋設箱の側壁の内面全体との間に配設空間が形成されるように設けられる請求項３に記載の立設体。
【請求項５】
前記地中埋設箱の底壁の中央に設けられる請求項３又は請求項４に記載の立設体。
【請求項６】
前記被取着部は支持体をその先端側が少なくとも四側方に延びるように取着可能に設けられている請求項３〜請求項５のいずれかに記載の立設体。
【請求項７】
地中埋設箱の側壁の内面との間に配線材又は配管材を配設可能とする配設空間が形成されるように前記地中埋設箱内を仕切る仕切り板を備えて地中埋設箱内に上下方向へ延びて設けられ、配設空間に配設された配線材又は配管材を支持する支持体を、その先端側が地中埋設箱の側壁方向へ延びるように取着可能な被取着部を備えた立設体。
【請求項８】
平面十字状に組付け可能な一対の板状体により構成される請求項３〜請求項６のいずれかに記載の立設体。
【請求項９】
前記板状体の一方が地中埋設箱内を仕切る仕切り板と組み付けられて地中埋設箱内に設けられる請求項８に記載の立設体。
【請求項１０】
前記被取着部は支持体を上下複数段に取着可能に設けられる請求項３〜請求項９のいずれかに記載の立設体。
【請求項１１】
前記地中埋設箱の側壁及び底壁の少なくとも一方に形成された係合部に係合して地中埋設箱内に設けられる請求項３〜請求項１０のいずれかに記載の立設体。
【請求項１２】
前記配設空間の上側に位置するとともに、地中埋設箱の対向する側壁方向へ延出形成されて側壁間を架けわたるように配置され、前記配設空間内に配設された配線材又は配管材の上方への抜けを防止する延出部が設けられる請求項３〜請求項１１のいずれかに記載の立設体。
【請求項１３】
地中埋設箱内に引き込まれた配線材又は配管材を支持する地中埋設箱内の配線材又は配管材の支持装置であって、
地中埋設箱内の側壁の内面との間に配線材又は配管材を配設可能とする配設空間が形成されるように前記地中埋設箱内を仕切る仕切り板を備えて地中埋設箱内に上下方向へ延びて設けられる立設体と、
前記立設体から地中埋設箱の側壁方向へ延設され、前記配設空間に配設された配線材又は配管材を支持する支持体と
よりなる地中埋設箱内の配線材又は配管材の支持装置。
【発明の詳細な説明】
【０００１】
【発明の属する技術分野】
この発明は、地中埋設箱内に引き込まれた配線材又は配管材を支持する地中埋設箱内の配線材又は配管材の支持装置及び立設体に関するものである。
【０００２】
【従来の技術】
一般に、光ファイバーケーブル、電力ケーブル等の配線材又は鞘管、電線管等の配管材は地中に埋設して配設される。例えば配線材を地中に埋設するには、まず、地盤を所定深さ掘り下げ、そこに上面が開口されたマンホールやハンドホール等の地中埋設箱を地中に複数個離間して設置する。次いで、隣り合う地中埋設箱間に複数の地中埋設管をそれぞれ配置し、それらの両端部をそれぞれ地中埋設箱の側壁に接続する。そして、その地中埋設管内に配線材を挿通し、その配線材を地中埋設箱の側壁間を架け渡るように貫通させたり、分岐させたりする。最後に、複数の地中埋設箱及び地中埋設管を地中に埋設して、配線材が地中に埋設される。
【０００３】
地中埋設箱内に配設された配線材がたるんで、後のその他の配線材の挿通作業の際に障害になったり、絡み合ったりするのを防止するために、地中埋設箱の側壁には配線材を支持する支持体が突設されている。この支持体は地中埋設管が対向して接続された側壁に挟まれた側壁に、支持体の先端側が内方へ突出するように他端側を打ち込んで複数個取付けられる。そして、図９に示すように、対向する側壁間に配線材を直線状に架け渡すとともに、その配線材を支持体に支持させていた。
【０００４】
【発明が解決しようとする課題】
ところが、図９に示すように、地中埋設管が対向して接続された相対向する側壁の一方の側壁から、それに隣接する側壁間を架け渡るように配線材を屈曲又は分岐させて配設する場合には、支持体を地中埋設管が接続された一方の側壁に取り付けなければならない。しかし、その側壁には地中埋設管が多数本接続されているため、その側壁に支持体を取付けることが不可能であり、地中埋設箱内に屈曲又は分岐した状態で配設された配線材又は配管材を支持することができないという問題があった。
【０００５】
また、地中埋設箱内で複数本の配線材が屈曲又は分岐されて配設されると、それらが地中埋設箱内で混線したり、絡み合ったりしてしまい、後のその他の配線材又は配管材の挿通作業等を非常に行いにくいという問題もあった。
【０００６】
この発明は、このような従来技術に存在する問題に着目してなされたものである。その目的とするところは、地中埋設箱内に支持体を容易に設置することができ、その支持体に、地中埋設箱内に配設された配線材又は配管材、特に屈曲又は分岐した状態で配設された配線材又は配管材を支持することができる地中埋設箱内の配線材又は配管材の支持装置及び立設体を提供することにある。その他の目的とするところは、地中埋設箱内に配設された配線材又は配管材が混線するのを防止して、その他の配線材又は配管材の挿通作業の障害になったり、絡み合ったりするのを防止することができる地中埋設箱内の配線材又は配管材の支持装置及び立設体を提供することにある。
【０００７】
【課題を解決するための手段】
上記の目的を達成するために、請求項１に記載の発明の地中埋設箱内の配線材又は配管材の支持装置は、地中埋設箱内に引き込まれた配線材又は配管材を支持する地中埋設箱内の配線材又は配管材の支持装置であって、地中埋設箱内の側壁の内面との間に配線材又は配管材を配設可能とする配設空間が形成されるように前記側壁の内面から離間した位置にて地中埋設箱内に上下方向へ延びて設けられる立設体と、前記立設体から地中埋設箱の側壁方向へ延設され、前記配設空間に配設された配線材又は配管材を支持する支持体とよりなるものである。
【０００８】
請求項２に記載の発明の地中埋設箱内の配線材又は配管材の支持装置は、請求項１に記載の発明において、前記立設体は、地中埋設箱の側壁の内面全体との間に配設空間が形成されるように設けられるものである。
【０００９】
請求項３に記載の発明の立設体は、地中埋設箱の側壁の内面との間に配線材又は配管材を配設可能とする配設空間が形成されるように前記側壁の内面から離間した位置にて地中埋設箱内に上下方向へ延びて設けられ、配設空間に配設された配線材又は配管材を支持する支持体を、その先端側が地中埋設箱の側壁方向へ延びるように取着可能な被取着部を備えたものである。
【００１０】
請求項４に記載の発明の立設体は、請求項３に記載の発明において、前記地中埋設箱の側壁の内面全体との間に配設空間が形成されるように設けられるものである。
【００１１】
請求項５に記載の発明の立設体は、請求項３又は請求項４に記載の発明において、前記地中埋設箱の底壁の中央に設けられるものである。
請求項６に記載の発明の立設体は、請求項３〜請求項５のいずれかに記載の発明において、前記被取着部は支持体をその先端側が少なくとも四側方に延びるように取着可能に設けられているものである。
【００１２】
請求項７に記載の発明の立設体は、地中埋設箱の側壁の内面との間に配線材又は配管材を配設可能とする配設空間が形成されるように前記地中埋設箱内を仕切る仕切り板を備えて地中埋設箱内に上下方向へ延びて設けられ、配設空間に配設された配線材又は配管材を支持する支持体を、その先端側が地中埋設箱の側壁方向へ延びるように取着可能な被取着部を備えたものである。
請求項８に記載の発明の立設体は、請求項３〜請求項６のいずれかに記載の発明において、平面十字状に組付け可能な一対の板状体により構成されるものである。
【００１３】
請求項９に記載の発明の立設体は、請求項８に記載の発明において、前記板状体の一方が地中埋設箱内を仕切る仕切り板と組み付けられて地中埋設箱内に設けられるものである。
【００１４】
請求項１０に記載の発明の立設体は、請求項３〜請求項９のいずれかに記載の発明において、前記被取着部は支持体を上下複数段に取着可能に設けられるものである。
【００１５】
請求項１１に記載の発明の立設体は、請求項３〜請求項１０のいずれかに記載の発明において、前記地中埋設箱の側壁及び底壁の少なくとも一方に形成された係合部に係合して地中埋設箱内に設けられるものである。
【００１６】
請求項１２に記載の発明の立設体は、請求項３〜請求項１１のいずれかに記載の発明において、前記配設空間の上側に位置するとともに、地中埋設箱の対向する側壁方向へ延出形成されて側壁間を架けわたるように配置され、前記配設空間内に配設された配線材又は配管材の上方への抜けを防止する延出部が設けられるものである。
また、請求項１３に記載の発明の地中埋設箱内の配線材又は配管材の支持装置は、地中埋設箱内に引き込まれた配線材又は配管材を支持する地中埋設箱内の配線材又は配管材の支持装置であって、地中埋設箱内の側壁の内面との間に配線材又は配管材を配設可能とする配設空間が形成されるように前記地中埋設箱内を仕切る仕切り板を備えて地中埋設箱内に上下方向へ延びて設けられる立設体と、前記立設体から地中埋設箱の側壁方向へ延設され、前記配設空間に配設された配線材又は配管材を支持する支持体とよりなるものである。
【００１７】
【発明の実施の形態】
以下、この発明の実施形態について詳細に説明する。
図１〜図３に示すように、マンホール、ハンドホール等の合成樹脂材料製の地中埋設箱１０は正方形状に形成された底壁１１と、その底壁１１の周縁に沿って立設された４枚の側壁１２とから上面が開口した有底四角箱状に形成されている。さらに、各側壁１２は上部側ほど僅かに拡がるテーパ形状に形成されている。また、各側壁１２の高さ及び底壁１１の面積及び大きさを変更することにより、容量の異なる地中埋設箱１０が複数種類製作される。
【００１８】
各側壁１２の内面において、それらの上下方向へ延びる中心線に沿っては係合部としての第１係合溝１３がそれぞれ形成されている。底壁１１の中央には平面十字状をなす係合部としての第２係合溝１４が形成され、第２係合溝１４の各先端の延長線上には第１係合溝１３がそれぞれ位置している。そして、地盤を所定又は任意の間隔をおいて掘り下げ、そこに地中埋設箱１０が複数個埋設される。
【００１９】
図１及び図２に示すように、配線材としてのケーブル１５が挿通される地中埋設管１６は合成樹脂材料により円筒状に形成されている。地中埋設箱１０の側壁１２には貫通孔１７が側壁１２を貫通して形成され、その貫通孔１７にはほぼ円筒状をなす合成樹脂材料製の接続具１８が嵌入されるようになっている。その接続具１８の内径は前記地中埋設管１６の外径と対応するようになっている。そして、地中埋設箱１０の貫通孔１７に嵌入された接続具１８内に地中埋設管１６を嵌入し、図示されない固定部材により接続具１８と地中埋設管１６とを固定して地中埋設管１６を接続具１８を介して地中埋設箱１０に接続することができるようになっている。
【００２０】
地中埋設箱１０内に設けられる立設体１９は、合成樹脂材板によりＴ字状に形成された第１板状体２０と第２板状体２１を平面十字状に組み付けて構成される。前記第１板状体２０の上部両側縁からは外方へ水平に延びる延出部２２が形成され、延出部２２の両端間の長さは地中埋設箱１０の上部開口部において、相対向する側壁１２間の間隔と対応している。また、第１板状体２０の上端の中央からほぼ中間部にかけて真っ直ぐ下方へ延びる第１組付溝２３が切り欠き形成されている。さらに、延出部２２より下側の第１板状体２０の両側部には、第１板状体２０の上下方向へ延びる中心線を線対称にして各一対の被取着部としての取着孔２４が６段に形成されている。
【００２１】
前記第２板状体２１の上部両側には外方へ水平に延びる延出部２２が形成され延出部２２の両端間の長さは地中埋設箱１０の上部開口部において、相対向する側壁１２間の間隔と対応している。また、第２板状体２１の下端の中央には上方へ向かって真っ直ぐ延びる第２組付溝２５が切り欠き形成されている。さらに、延出部２２より下側の第２板状体２１の両側部には、第２板状体２１の上下方向へ延びる中心線を線対称にして各一対の被取着部としての取着孔２４が６段に形成されている。第２板状体２１の上端部のほぼ中央の両面には厚みを有する突出部２６が形成され、それらの突出部２６にはそれぞれ係止溝２７が形成されている。それらの係止溝２７の下方への延長線上には第２組付溝２５が位置するようになっている。
【００２２】
そして、第１板状体２０の第１組付溝２３に第２板状体２１の第２組付溝２５を係合し、第１板状体２０の上部を第２板状体２１の係止溝２７に係止させることにより、立設体１９を平面十字状に組付けることができるようになっている。さらに、その立設体１９を地中埋設箱１０内に収容し、第１板状体２０及び第２板状体２１の下端縁を第２係合溝１４に係合し、第１板状体２０及び第２板状体２１の各延出部２２の先端をそれぞれ第１係合溝１３に係合する。
【００２３】
その結果、立設体１９を地中埋設箱１０の底壁１１の中央から上下方向へ延びるように設置することができるとともに、取着孔２４を各側壁１２方向へ、つまり四側方へ延びるように設置することができるようになっている。また、各側壁１２の内面全体と第１板状体２０及び第２板状体２１の各延出部２２の下側に、ケーブル１５を配設可能な配設空間が形成されるようになっている。
【００２４】
第１板状体２０及び第２板状体２１の取着孔２４に取着されて立設体１９に取着される支持体としての支持部材２８は金属材料により横Ｌ字状に形成されている。支持部材２８の基端部には板状をなす取付部２９が形成され、その取付部２９には一対の取付孔２９ａが形成されている。支持部材２８の先端部は円柱状をなし上方へ直角に折り曲げられている。
【００２５】
そして、支持部材２８の先端部が上方を向くように、取付孔２９ａから取着孔２４に取付部材としてのボルト３０を挿通し、そのボルト３０にナット３１を螺合することにより支持部材２８を立設体１９に取着することができるようになっている。このとき、第１板状体２０及び第２板状体２１の両側の取着孔２４に支持部材２８をそれぞれ取着することにより、支持部材２８をその先端側を四側方へ延設することができるようになっている。従って、支持部材２８が取着された立設体１９を地中埋設箱１０内に設置して地中埋設箱１０内の配管又は配管材の支持装置３２が構成される。
【００２６】
次に、地中埋設箱１０内のケーブル１５の支持装置３２の作用を説明する。
まず、地中埋設箱１０の１つの側壁１２に上下２段に貫通孔１７を形成し、その側壁１２に対向する側壁１２に前記貫通孔１７に対向する上下２段の貫通孔１７を形成する。さらに隣接する一方の側壁１２の上部両側に貫通孔１７を形成する。次いで、地盤を所定深さ掘り下げ、上記地中埋設箱１０及びその他の地中埋設箱１０を離間配置し、それらを接続具１８を介して地中埋設管１６により接続して地中で連結する。
【００２７】
次に、図２に示すように、第１板状体２０において、隣接する側壁１２の上部両側に形成された貫通孔１７に対応する位置に支持部材２８をボルト３０とナット３１により取着孔２４にそれぞれ取着する。次いで、第２板状体２１において、相対向する一対の側壁１２の上下両側に形成された貫通孔１７に対応する位置に支持部材２８をボルト３０とナット３１により取着孔２４にそれぞれ取着する。
【００２８】
続いて、第１板状体２０と第２板状体２１を組付けて立設体１９を組み立てる。このとき、第２板状体２１の上端部の係止溝２７に第１板状体２０の上部が係止されるため、第１板状体２０の上部が位置ずれするのが防止される。
【００２９】
さらに、その立設体１９を地中埋設箱１０内に収容し、第１板状体２０及び第２板状体２１の下端縁を第２係合溝１４に係合し、第１板状体２０及び第２板状体２１の各延出部２２の先端をそれぞれ第１係合溝１３に係合して、図１に示すように、立設体１９を地中埋設箱１０内に設置する。
【００３０】
このとき、第１係合溝１３及び第２係合溝１４により立設体１９が安定した状態で地中埋設箱１０内に設置される。また、第２係合溝１４は底壁１１の中央に形成されているため、図３に示すように、立設体１９は底壁１１の中央、つまり、地中埋設箱１０の中央に設置される。図１に示すように、第１板状体２０及び第２板状体２１はＴ字状に形成されているため、立設体１９の下側と各側壁１２の内面との間には大きな配設空間が形成される。しかも、それらの配設空間のうち３箇所に、支持部材２８がその先端側が側壁１２方向へ延びるように延設される。さらに、１つの側壁１２に上下２段、その側壁１２に対向する側壁１２に上下２段及び隣接する一方の側壁１２の上部両側にそれぞれ接続具１８を介して地中埋設管１６が接続されているにもかかわらず、地中埋設箱１０内に支持部材２８が設けられる。
【００３１】
そして、下側に位置する一方の地中埋設管１６にケーブル１５ａを挿通し、地中埋設箱１０内に引き込む。さらに、そのケーブル１５ａを配設空間に配設し、対向する地中埋設管１６へ挿通して地中埋設箱１０内に直線状に配設する。このとき、ケーブル１５ａは第２板状体２１の下側に取着された支持部材２８に支持される。次に、上側に位置する一方の地中埋設管１６に３本のケーブル１５ｂ，１５ｃ，１５ｄを挿通し、地中埋設箱１０内に引き込む。１本目のケーブル１５ｂを上記と同様に地中埋設箱１０内に直線状に配設し、第２板状体２１の上側に取着された支持部材２８に支持させる。
【００３２】
さらに、２本目のケーブル１５ｃをほぼ直角に屈曲させて隣接する側壁１２方向へ延びる一方の配設空間に配設し、３本目のケーブル１５ｄをほぼ直角に屈曲させて隣接する側壁１２方向へ延びる他方の配設空間に配設する。すると、ケーブル１５ｃ，１５ｄは第１板状体２０の上部両側に取着された支持部材２８にそれぞれ支持される。このとき、支持部材２８は地中埋設箱１０の中央に上下方向へ延びて設置された立設体１９から側壁１２方向へ延びて設けられている。
【００３３】
そのため、側壁１２に地中埋設管１６が複数に接続されていても、支持部材２８を地中埋設箱１０に設置することができ、屈曲して配設されたケーブル１５ｃ，１５ｄがそれぞれ支持される。その結果、ケーブル１５ｃ，１５ｄが隣接する側壁１２間に架けわたるように屈曲して地中埋設管１６内に配設される。さらに、図３に示すように、例えば、２本目のケーブル１５ｃと３本目のケーブル１５ｄは同じ側壁１２方向へ屈曲して配設されるが、地中埋設箱１０内で立設体１９により仕切られる。また、各延出部２２は地中埋設箱１０の上部開口部の相対向する側壁１２間を架けわたるように配置されるため、ケーブル１５ａ，１５ｂ，１５ａ，１５ｄが上方へ抜け出るのが防止される。
【００３４】
前記の実施形態によって発揮される効果について、以下に記載する。
・  立設体１９は地中埋設箱１０の中央に上下方向へ延びて設置され、支持部材２８は立設体１９から側壁１２方向へ延びて設けられる。その結果、側壁１２に地中埋設管１６が複数に接続されていても、支持部材２８を地中埋設箱１０に容易に設置することができ、地中埋設箱１０内に直線状に配設されたケーブル１５ａ，１５ｂ及び屈曲、分岐した状態のケーブル１５ｃ，１５ｄを確実に支持することができる。従って、それらのケーブル１５ａ，１５ｂ，１５ｃ，１５ｄがたるんでその他の配線材の挿通作業の際に障害になったり、絡み合ったりするのを防止することができる。
【００３５】
・  立設体１９は、地中埋設箱１０内の中央に立設されている。そのため、２本のケーブル１５ｃ，１５ｄが同じ側壁１２方向へ屈曲して配設されても、立設体１９により仕切られる。そのため、ケーブル１５ｃ，１５ｄが地中埋設箱１０内で混線するのが防止され、その他のケーブル１５又は配管材の挿通作業の障害になったり、絡み合ったりするのを防止することができる。また、立設体１９の下方と各側壁１２の内面との間には大きな配設空間を形成することができ、ケーブル１５ａ，１５ｂ，１５ｃ，１５ｄを余裕を持って配設することができる。
【００３６】
・  第１板状体２０及び第２板状体２１はＴ字状に形成されているため、立設体１９の下方と各側壁１２の内面との間には大きな配設空間が形成される。そのため、支持部材２８を支持させつつケーブル１５ａ，１５ｂ，１５ｃ，１５ｄを余裕を持って配設することができる。また、ケーブル１５ｃ，１５ｄを屈曲又は分岐させてその延びる方向を変更することができ、地中埋設箱１０内においてケーブル１５ｃ，１５ｄを所望する状態で配設することができる。
【００３７】
・  第１板状体２０及び第２板状体２１の両側部には取着孔２４がそれぞれ形成されている。そのため、支持部材２８を地中埋設箱１０内に多数設置することができ、ケーブル１５ａ，１５ｂ，１５ｃ，１５ｄの支持箇所を多くしてそれらを確実に支持することができる。従って、ケーブル１５ａ，１５ｂ，１５ｃ，１５ｄが地中埋設箱１０内でたるんだりしてその他の配線材の配設作業の障害になるのを防止することができる。
【００３８】
・  第１板状体２０及び第２板状体２１の両側には上下６段に取着孔２４がそれぞれ形成されている。そのため、地中埋設箱１０内に上下に複数段に配設されたケーブル１５ａ，１５ｂ，１５ｃ，１５ｄを確実に支持することができる。
【００３９】
・  立設体１９はその下端縁が第２係合溝１４に係合し、各延出部２２の先端がそれぞれ第１係合溝１３に係合するため、地中埋設箱１０内に安定した状態で設置される。従って、立設体１９に取着された支持部材２８を安定して支持させ、それらに支持されるケーブル１５ａ，１５ｂ，１５ｃ，１５ｄを安定した状態で支持させることができる。
【００４０】
・  第２板状体２１の上部の両面には係止溝２７が形成されている。そのため、第１板状体２０の上部を第２板状体２１の係止溝２７に係止させることにより、立設体１９を平面十字状に安定して組み立てることができる。
【００４１】
・  第１板状体２０及び第２板状体２１の各延出部２２は地中埋設箱１０の上部開口部の相対向する側壁１２間を架けわたるように配置される。そのため、地中埋設箱１０内に配設されたケーブル１５ａ，１５ｂ，１５ｃ，１５ｄが上方へ抜け出るのを防止することができる。
【００４２】
・  立設体１９は第１板状体２０と第２板状体２１とを組付けて構成されている。そのため、立設体１９を一体成形した場合と比較して容易に製造することができる。
【００４３】
なお、本実施形態は、次のように変更して具体化することも可能である。
・  図４に示すように、地中埋設箱１０の各角部に上下方向へ延びる第１係合溝１３を形成するとともに、底壁１１に先端が各角部方向へ延びる第２係合溝１４を形成する。さらに、第１板状体２０及び第２板状体２１の各延出部２２を各第１係合溝１３に係合するように延長する。そして、地中埋設箱１０の両対向線上に第１板状体２０及び第２板状体２１が位置するように立設体１９を地中埋設箱１０内に設置しても良い。
【００４４】
このように構成した場合、立設体１９の下方と側壁１２の内面との間により大きな配設空間を形成することができ、ケーブル１５又は配管材を余裕を持って配設することができる。
【００４５】
・  図５に示すように、底壁１１の中央又は任意の位置に円形状の第２係合溝１４を形成し、その第２係合溝１４に係合可能に立設体１９を円柱状に形成する。そして、立設体１９の周面から支持部材２８を側壁１２方向へ延びるように取着しても良い。
【００４６】
このように構成した場合、各側壁１２の内面と立設体１９との間に配設空間を形成することができるとともに、支持部材２８を多数の方向へ延びて取着することができ、ケーブル１５をより確実に支持することができる。また、支持部材２８の延びる方向を３６０度にすることができ、ケーブル１５を効率良く支持することができる。
【００４７】
・  図６に示すように、第１板状体２０又は第２板状体２１のどちらか一方を地中埋設箱１０内を２分する仕切り板３３に変更し、その仕切り板３３の上端又は下端の中央からほぼ中間部にかけて真っ直ぐ延びる第１組付溝２３又は第２組付溝２５を形成する。そして、仕切り板３３の第１組付溝２３又は第２組付溝２５に第２板状体２１又は第１板状体２０の第２組付溝２５又は第１組付溝２３を組み付けて立設体１９を構成し、第２板状体２１又は第１板状体２０の取着孔２４に支持部材２８を取着しても良い。又は仕切り板３３に取着孔２４を形成しても良い。
【００４８】
このように構成した場合、地中埋設箱１０内を２つの区画に分割することができ、地中埋設箱１０内でケーブル１５等が混線するのを防止することができる。
・  図７に示すように、第１板状体２０及び第２板状体２１を、矩形板状をなす金属材料製の延出部２２と、矩形板状の第１板状体本体２０ａ及び第２板状体本体２１ａとに別々に製造する。さらに、第１板状体本体２０ａ及び第２板状体本体２１ａの上端部の一面側に取付板３４をそれぞれ接合し、その取付板３４に透孔３５を形成する。また、一方の延出部２２の上端の中央からほぼ中間部にかけて真っ直ぐ下方へ延びる溝部２２ａを形成し、他方の延出部２２の下端の中央からほぼ中間部にかけて真っ直ぐ上方へ延びる溝部２２ａを形成する。
【００４９】
そして、まず、第１板状体本体２０ａの第１組付溝２３に第２板状体本体２１ａの第２組付溝２５を係合して両者を平面十字状に組み付ける。次いで、一対の延出部２２の両溝部２２ａを係合して両者を平面十字状に組み付ける。次に、組み付けられた第１板状体本体２０ａ及び第２板状体本体２１ａの上端面に、組み付けられた一対の延出部２２の下端面を載置する。最後に、図８に示すように、取付板３４の透孔３５から延出部２２にビス３６をねじ込んで第１板状体本体２０ａ及び第２板状体本体２１ａと延出部２２とを一体化して立設体１９を形成しても良い。
【００５０】
このように構成した場合、第１板状体２０及び第２板状体２１を第１板状体本体２０ａ及び第２板状体本体２１ａと延出部２２とに分解して運搬することができる。そのため、第１板状体２０及び第２板状体２１をコンパクトにして運搬することができる。また、延出部２２が運搬中に破損するおそれを少なくすることができる。
【００５１】
・  地中埋設箱１０内に、光ファイバーケーブル、電力ケーブル、ＴＶケーブル等の配線材又は鞘管、電線管等の配管材を配設し、その配線材又は配管材を支持部材２８に支持させても良い。
【００５２】
・  地中埋設箱１０の材質をコンクリート、金属等に変更しても良い。
・  第１板状体２０及び第２板状体２１の材質を金属に変更しても良い。
・  第１板状体２０と第２板状体２１を予め一体成形しても良い。このように構成した場合、第１板状体２０と第２板状体２１を組み付ける作業を省略して支持装置３２の組み付け時間を短縮することができる。
【００５３】
・  第１板状体２０及び第２板状体２１の各延出部２２を省略してもよい。このように構成した場合、第１板状体２０及び第２板状体２１の材料の節約を図ることができる。
【００５４】
・  第１板状体２０及び第２板状体２１において、取着孔２４を１箇所から５箇所のいずれか又は７箇所以上形成しても良い。
・  第１係合溝１３又は第２係合溝１４のどちらか一方を省略しても良い。このように構成した場合、第２係合溝１４又は第１係合溝１３により立設体１９を地中埋設箱１０に設置することができるとともに、地中埋設箱１０の成形を簡易化することができる。
【００５５】
・  第１板状体２０及び第２板状体２１において、それらの両面に被取着部としてのボルトを突出形成しておく。そして、支持部材２８の取付孔２９ａにボルトを挿通し、ナットにより支持部材２８を第１板状体２０と第２板状体２１に取着しても良い。
【００５６】
・  支持部材２８の先端を直角に折り曲げなくても良い。このように構成しても、ケーブル１５又は配管材を支持することができる。
・  立設体１９を底壁１１の中央又は任意の位置に一体形成しても良い。
【００５７】
・  地中埋設箱１０内を２つに仕切る仕切り板３３を地中埋設箱１０内に１枚設置し、その仕切り板３３に支持部材２８を取着しても良い。
・  第１板状体２０又は第２板状体２１のどちらか一方のみを地中埋設箱１０内の中央又は任意の位置に設置し、それに支持部材２８を取着してケーブル１５又は配管材を支持させても良い。
【００５８】
・  突出部２６を第２板状体２１の上部の一側面のみに形成し、係止溝２７を一側面のみに形成しても良い。このように構成した場合、第２板状体２１の構成を簡略化することができる。
【００５９】
・  突出部２６を第２組付溝２５の延長線上の任意の場所に１箇所又は２箇所以上形成し、それに係止溝２７を形成しても良い。
・  第１板状体２０の第１組付溝２３の延長線上の任意の場所に１箇所又は２箇所以上に突出部２６を形成し、それに係止溝２７を形成しても良い。
【００６０】
・  地中埋設箱１０の平面形状を丸形状、三角形状、五角形状、六角形状、八角形状等に変更しても良い。
・  第２係合溝１４を底壁１１の中央以外の位置に形成し、立設体１９を地中埋設箱１０の中央以外の位置に設置しても良い。
【００６１】
さらに、前記実施形態より把握できる技術的思想について以下に記載する。
・  前記一方の板状体の少なくとも一面側に他方の板状体又は仕切り板が係止可能な係止溝を形成した請求項８〜請求項１２のいずれかに記載の立設体。
【００６２】
このように構成した場合、一対の板状体又は板状体と仕切り板とを安定した状態で組付けることができ、立設体を安定させることができる。
・  前記板状体は正面Ｔ字状に形成されている請求項８〜請求項１２のいずれかに記載の立設体。
【００６３】
このように構成した場合、一対の板状体又は板状体と仕切り板とを組付け、立設体を構成したとき、その立設体の下方と地中埋設箱の側壁の内面との間に大きな配設空間を形成することができる。そのため、支持部材を支持させつつ配線材又は配管材を余裕を持って配設することができる。
【００６４】
・  前記一方の板状体の上端部から下方へかけて組付溝を形成し、他方の板状体の下端部から上方へかけて組付溝を形成して、両組付溝を組付けて構成される請求項８〜請求項１２のいずれかに記載の立設体。
【００６５】
このように構成した場合、立設体を平面十字状となるように一体成形する場合と比較して、その製造を簡易化することができる。また、立設体を容易に構成することができる。
【００６６】
・  前記請求項３〜請求項１２のいずれかに記載の立設体を備えた地中埋設箱。
このように構成した場合、地中埋設箱内に支持体を容易に設置することができ、その支持体に配線材又は配管材を安定した状態で支持させることができる。
【００６７】
【発明の効果】
以上詳述したように、この発明によれば、次のような効果を奏する。
請求項１に記載の発明の地中埋設箱内の配線材又は配管材の支持装置によれば、地中埋設箱内に支持体を容易に設置することができ、その支持体に、地中埋設箱内に配設された配線材又は配管材、特に屈曲又は分岐した状態で配設された配線材又は配管材を支持することができる。また、地中埋設箱内に配設された配線材又は配管材が混線するのを防止して、その他の配線材又は配管材の挿通作業の障害になったり、絡み合ったりするのを防止することができる。
【００６８】
請求項２に記載の発明の地中埋設箱内の配線材又は配管材の支持装置によれば、請求項１に記載の発明の効果に加えて、配線材又は配管材を屈曲又は分岐させてその延びる方向を変更することができ、地中埋設箱内において配線材又は配管材を所望する状態に配設することができる。
【００６９】
請求項３に記載の発明の立設体によれば、地中埋設箱内に支持体を容易に設置することができ、その支持体に、地中埋設箱内に配設された配線材又は配管材、特に屈曲又は分岐した状態で配設された配線材又は配管材を支持することができる。また、地中埋設箱内に配設された配線材又は配管材が混線するのを防止して、その他の配線材又は配管材の挿通作業の障害になったり、絡み合ったりするのを防止することができる。
【００７０】
請求項４に記載の発明の立設体によれば、請求項３に記載の発明の効果に加えて、配線材又は配管材を屈曲又は分岐させてその延びる方向を変更することができ、地中埋設箱内において所望する状態で配設することができる。
【００７１】
請求項５に記載の発明の立設体によれば、請求項３又は請求項４に記載の発明の効果に加えて、立設体と各側壁の内面との間に大きな配設空間を形成することができ、その配設空間に配線材又は配管材を余裕を持って配設することができる。
【００７２】
請求項６に記載の発明の立設体によれば、請求項３〜請求項５のいずれかに記載の発明の効果に加えて、配線材又配管材の支持箇所を多くして安定して支持することができる。
【００７３】
請求項７に記載の発明の立設体によれば、地中埋設箱内に支持体を容易に設置することができ、その支持体に、地中埋設箱内に配設された配線材又は配管材、特に屈曲又は分岐した状態で配設された配線材又は配管材を支持することができる。また、地中埋設箱内に配設された配線材又は配管材が混線するのを防止して、その他の配線材又は配管材の挿通作業の障害になったり、絡み合ったりするのを防止することができる。更に、地中埋設箱内を区画することができ、配線材又は配管材が地中埋設箱内で混線するのを防止することができる。
【００７４】
請求項８に記載の発明の立設体によれば、請求項３〜請求項６のいずれかに記載の発明の効果に加えて、立設体を容易に製造することができる。
請求項９に記載の発明の立設体によれば、請求項８に記載の発明の効果に加えて、立設体を容易に構成することができるとともに、地中埋設箱内を区画することができ、配線材又は配管材が地中埋設箱内で混線するのを防止することができる。
【００７５】
請求項１０に記載の発明の立設体によれば、請求項３〜請求項９のいずれかに記載の発明の効果に加えて、地中埋設箱内の上下に複数段に配設された配線材又は配管材を安定して支持することができる。
【００７６】
請求項１１に記載の発明の立設体によれば、請求項３〜請求項１０のいずれかに記載の発明の効果に加えて、立設体を地中埋設箱内に安定した状態で設置することができる。
【００７７】
請求項１２に記載の発明の立設体によれば、請求項３〜請求項１１のいずれかに記載の発明の効果に加えて、地中埋設箱内に配設された配線材又は配管材が上方へ抜け出るのを防止することができる。
請求項１３に記載の発明の地中埋設箱内の配線材又は配管材の支持装置によれば、地中埋設箱内を区画することができ、配線材又は配管材が地中埋設箱内で混線するのを防止することができる。
【図面の簡単な説明】
【図１】地中埋設箱内の配線材の支持装置を示す部分破断斜視図。
【図２】地中埋設箱内の配線材の支持装置を示す分解斜視図。
【図３】地中埋設箱内の配線材の支持装置を示す平面図。
【図４】地中埋設箱内の配線材の支持装置の別例を示す平面図。
【図５】地中埋設箱内の配線材の支持装置の別例を示す平面図。
【図６】地中埋設箱内の配線材の支持装置の別例を示す部分破断斜視図。
【図７】第１板状体及び第２板状体の別例を示す分解斜視図。
【図８】別例の第１板状体及び第２板状体を組付けた状態を示す斜視図。
【図９】従来の地中埋設箱内の配線材の配設状態を示す平面図。
【符号の説明】
１０…地中埋設箱、１１…底壁、１２…側壁、１３…係合部としての第１係合溝、１４…係合部としての第２係合溝、１５ａ，１５ｂ，１５ｃ，１５ｄ…配線材としてのケーブル、１９…立設体、２０…第１板状体、２１…第２板状体、２２…延出部、２４…被取着部としての取着孔、２８…支持部材、３２…支持装置、３３…仕切り板。
【図１】
0003571594.tif 000002
【図２】
0003571594.tif 000003
【図３】
0003571594.tif 000004
【図４】
0003571594.tif 000005
【図５】
0003571594.tif 000006
【図６】
0003571594.tif 000007
【図７】
0003571594.tif 000008
【図８】
0003571594.tif 000009
【図９】
0003571594.tif 000010